(57)【要約】【課題】通信部及び記憶部を備えた記録媒体を利用して画像情報を管理するのに好適な情報入出力装置、記録媒体、プログラム及び情報入出力方法を提供する。【解決手段】電子黒板装置８０は、画面上の座標位置を指示して入力する画面入出力部８０４の入力部と、前記入力部で入力された座標により、２次元図形、文字を含む画像を前記画面に出力する画面入出力部８０４の出力部と、アンテナ９０１及びＩＣチップ９０１を有するＩＣカード９０に対し、前記画像の情報を非接触で書き込むＩＣ読取書込部８０７の書込部と、ＩＣカード９０に書き込まれた前記画像の情報を前記画面に出力するように指示する操作表示部８０６と、操作表示部８０６の指示により、ＩＣカード９０から前記画像の情報を非接触で読み取るＩＣ読取書込部８０７の読取部とを備える。【選択図】        図２
2004320357.tif 000002
【特許請求の範囲】
【請求項１】
画面上の座標位置を指示して入力する座標入力手段と、前記座標入力手段で入力された座標により、２次元図形、文字を含む画像を前記画面に出力する画像出力手段と、無線通信のための無線通信手段及び情報を記憶する記憶手段を有する記録媒体に対し、前記画像の情報を非接触で書き込む書込手段とを備えたことを特徴とする情報入出力装置。
【請求項２】
前記記録媒体に書き込まれた前記画像の情報を前記画面に出力するように指示する出力指示手段と、前記出力指示手段の指示により、前記記録媒体から前記画像の情報を非接触で読み取る読取手段とを備え、前記画像出力手段が、前記読取手段で読み取られた前記画像の情報を前記画面に出力するようにしたことを特徴とする請求項１に記載の情報入出力装置。
【請求項３】
画面上の座標位置を指示して入力する座標入力手段と、前記座標入力手段で入力された座標により、２次元図形、文字を含む画像を前記画面に出力する画像出力手段と、前記画像の情報を記憶する第１の記憶手段と、無線通信のための無線通信手段及び情報を記憶する第２の記憶手段を有する記録媒体に対し、前記画像及び第１の記憶手段を識別するための識別情報を非接触で書き込む書込手段とを備えたことを特徴とする情報入出力装置。
【請求項４】
前記記録媒体から前記識別情報を非接触で読み取る読取手段と、前記読取手段で読み取られた前記識別情報に対応する、前記画像の情報を前記画面に出力するように指示する出力指示手段と、前記出力指示手段の指示により、前記第１の記憶手段から前記識別情報に対応する前記画像の情報を取り出す画像取出手段とを備え、前記画像出力手段が、前記第１の記憶手段から取り出された前記画像の情報を前記画面に出力するようにしたことを特徴とする請求項３に記載の情報入出力装置。
【請求項５】
画面上の座標位置を指示して入力する座標入力手段と、前記座標入力手段で入力された座標により、２次元図形、文字を含む画像を前記画面に出力する画像出力手段と、無線通信のための無線通信手段及び情報を記憶する記憶手段を有する記録媒体から、前記画像の情報を送信するときの送信先の情報を読み取る読取手段と、前記記録媒体に対し、前記画像及び前記送信先を識別するための識別情報を非接触で書き込む書込手段と、前記読取手段で取得された前記送信先に対し、前記画像の情報及び前記識別情報を送信する送信手段とを備えたことを特徴とする情報入出力装置。
【請求項６】
前記送信先から送信された前記画像の情報を受信する受信手段を備え、
前記読取手段が、前記記録媒体から前記識別情報を非接触で読み取り、前記送信手段が、前記送信先に対して、前記識別情報に対応する前記画像の情報の送信要求を送信し、前記画像出力手段が、前記受信手段で受信された前記画像の情報を前記画面に出力するようにしたことを特徴とする請求項５に記載の情報入出力装置。
【請求項７】
画面上の座標位置を指示して入力する座標入力手段と、前記座標入力手段で入力された座標により、２次元図形、文字を含む画像を前記画面に出力する画像出力手段と、前記画像の情報を記憶する第１の記憶手段と、無線通信のための無線通信手段及び情報を記憶する第２の記憶手段を有する記録媒体から、前記画像及び第１の記憶手段を識別するための識別情報を送信するときの送信先の情報を読み取る読取手段と、前記読取手段で取得された前記送信先に対し、前記識別情報を送信する送信手段とを備え、
前記画像の情報を第１の記憶手段に記憶したとき、前記送信先に対して前記識別情報を送信するようにしたことを特徴とする情報入出力装置。
【請求項８】
前記第１の記憶手段から前記識別情報に対応する前記画像の情報を取り出す画像取出手段と、前記送信先から送信された前記識別情報を受信する受信手段とを備え、
前記受信手段が、前記送信先から前記識別情報を含む前記画像の送信要求を受信したとき、前記画像取出手段が、前記第１の記憶手段から前記識別情報に対応する前記画像の情報を取り出し、前記画像出力手段が、前記取出手段で取り出された前記画像の情報を前記画面に出力するようにしたことを特徴とする請求項７に記載の情報入出力装置。
【請求項９】
前記座標入力手段に替えて、白板上に記された画像を光学的に読み取り、画像データとして入力する画像読取手段を備え、前記画像出力手段に替えて、前記画像データを画像として記録媒体に出力するか、又はビットマップ形式の画像データとして電子記録媒体に出力する出力手段を備えたことを特徴とする請求項１乃至８のいずれかに記載の情報入出力装置。
【請求項１０】
前記情報入出力装置の使用料金を算出して請求する算出請求手段を備え、
前記読取手段が、前記記録媒体から前記記録媒体の使用者を識別するための使用者情報を非接触で読み取り、前記算出請求手段が、前記情報入出力装置の使用料金を算出し、前記使用者情報により請求先を決定して請求するようにしたことを特徴とする請求項１乃至９のいずれかに記載の情報入出力装置。
【請求項１１】
コンピュータに、画面上の座標位置を指示して入力する第１のステップと、第１のステップで入力された座標により、２次元図形、文字を含む画像を前記画面に出力する第２のステップと、無線通信のための無線通信手段及び情報を記憶する記憶手段を有する記録媒体と非接触で通信し、第２のステップで出力された画像の情報を前記記憶手段に書き込む第３のステップとを実行させるためのプログラムを記録したコンピュータ読み取り可能な記録媒体。
【請求項１２】
コンピュータに、画面上の座標位置を指示して入力する第１のステップと、第１のステップで入力された座標により、２次元図形、文字を含む画像を前記画面に出力する第２のステップと、無線通信のための無線通信手段及び情報を記憶する記憶手段を有する記録媒体と非接触で通信し、第２のステップで出力された画像の情報を前記記憶手段に書き込む第３のステップとを実行させるためのプログラム。
【請求項１３】
画面上の座標位置を指示して入力する第１のステップと、第１のステップで入力された座標により、２次元図形、文字を含む画像を前記画面に出力する第２のステップと、無線通信のための無線通信手段及び情報を記憶する記憶手段を有する記録媒体と非接触で通信し、第２のステップで出力された画像の情報を前記記憶手段に書き込む第３のステップとを実行することを特徴とする情報入出力方法。
【発明の詳細な説明】
【０００１】
【発明の属する技術分野】
本発明は、アンテナ等の通信部及びＩＣチップ等の記憶部を備えた記録媒体との間で情報を入出力する情報入出力装置、記録媒体、プログラム及び情報入出力方法に関するものである。
【０００２】
【従来の技術】
従来の情報入出力装置は、アンテナ及びＩＣチップを備えた帯状ＩＣシールを書籍に貼付し、前記ＩＣチップに記憶された情報を読み取ることによって、前記書籍の持ち出しを管理している（例えば、特許文献１参照）。
【０００３】
また、ブック原稿を読み取る読取モードと、ブック原稿を読み取って得られた原稿情報を出力する出力先との組合せの可否を決定し、前記原稿情報がネットワーク上の外部情報機器へ無制限に流出することを防止しているものもある（例えば、特許文献２参照）。
【０００４】
【特許文献１】
特開２００２‐１９９２２号公報（第４頁〜第８頁）
【０００５】
【特許文献２】
特開平９‐８９６５号公報（図９）
【０００６】
【発明が解決しようとする課題】
しかしながら、「特許文献１」のような従来の情報入出力装置では、帯状ＩＣシールのＩＣチップの情報を読み取って管理に利用していたために、前記ＩＣチップの情報を更新し、あるいは前記ＩＣチップを介して情報を移動することについては配慮がなされていなかった。
【０００７】
また、「特許文献２」のような従来の情報入出力装置では、通信アンテナ及びＩＣチップを備えた記録媒体を利用する点については配慮がなされていなかった。
【０００８】
本発明は、このような問題を解決するためになされたもので、通信部及び記憶部を備えた記録媒体を利用して画像情報を管理するのに好適な情報入出力装置、記録媒体、プログラム及び情報入出力方法を提供するものである。
【０００９】
【課題を解決するための手段】
請求項１に係る本発明の情報入出力装置は、画面上の座標位置を指示して入力する座標入力手段と、前記座標入力手段で入力された座標により、２次元図形、文字を含む画像を前記画面に出力する画像出力手段と、無線通信のための無線通信手段及び情報を記憶する記憶手段を有する記録媒体に対し、前記画像の情報を非接触で書き込む書込手段とを備えた構成を有している。
【００１０】
請求項２に係る本発明の情報入出力装置は、請求項１において、前記記録媒体に書き込まれた前記画像の情報を前記画面に出力するように指示する出力指示手段と、前記出力指示手段の指示により、前記記録媒体から前記画像の情報を非接触で読み取る読取手段とを備え、前記画像出力手段が、前記読取手段で読み取られた前記画像の情報を前記画面に出力するようにした構成を有している。
【００１１】
請求項３に係る本発明の情報入出力装置は、画面上の座標位置を指示して入力する座標入力手段と、前記座標入力手段で入力された座標により、２次元図形、文字を含む画像を前記画面に出力する画像出力手段と、前記画像の情報を記憶する第１の記憶手段と、無線通信のための無線通信手段及び情報を記憶する第２の記憶手段を有する記録媒体に対し、前記画像及び第１の記憶手段を識別するための識別情報を非接触で書き込む書込手段とを備えた構成を有している。
【００１２】
請求項４に係る本発明の情報入出力装置は、請求項３において、前記記録媒体から前記識別情報を非接触で読み取る読取手段と、前記読取手段で読み取られた前記識別情報に対応する、前記画像の情報を前記画面に出力するように指示する出力指示手段と、前記出力指示手段の指示により、前記第１の記憶手段から前記識別情報に対応する前記画像の情報を取り出す画像取出手段とを備え、前記画像出力手段が、前記第１の記憶手段から取り出された前記画像の情報を前記画面に出力するようにした構成を有している。
【００１３】
請求項５に係る本発明の情報入出力装置は、画面上の座標位置を指示して入力する座標入力手段と、前記座標入力手段で入力された座標により、２次元図形、文字を含む画像を前記画面に出力する画像出力手段と、無線通信のための無線通信手段及び情報を記憶する記憶手段を有する記録媒体から、前記画像の情報を送信するときの送信先の情報を読み取る読取手段と、前記記録媒体に対し、前記画像及び前記送信先を識別するための識別情報を非接触で書き込む書込手段と、前記読取手段で取得された前記送信先に対し、前記画像の情報及び前記識別情報を送信する送信手段とを備えた構成を有している。
【００１４】
請求項６に係る本発明の情報入出力装置は、請求項５において、前記送信先から送信された前記画像の情報を受信する受信手段を備え、前記読取手段が、前記記録媒体から前記識別情報を非接触で読み取り、前記送信手段が、前記送信先に対して、前記識別情報に対応する前記画像の情報の送信要求を送信し、前記画像出力手段が、前記受信手段で受信された前記画像の情報を前記画面に出力するようにした構成を有している。
【００１５】
請求項７に係る本発明の情報入出力装置は、画面上の座標位置を指示して入力する座標入力手段と、前記座標入力手段で入力された座標により、２次元図形、文字を含む画像を前記画面に出力する画像出力手段と、前記画像の情報を記憶する第１の記憶手段と、無線通信のための無線通信手段及び情報を記憶する第２の記憶手段を有する記録媒体から、前記画像及び第１の記憶手段を識別するための識別情報を送信するときの送信先の情報を読み取る読取手段と、前記読取手段で取得された前記送信先に対し、前記識別情報を送信する送信手段とを備え、前記画像の情報を第１の記憶手段に記憶したとき、前記送信先に対して前記識別情報を送信するようにした構成を有している。
【００１６】
請求項８に係る本発明の情報入出力装置は、請求項７において、前記第１の記憶手段から前記識別情報に対応する前記画像の情報を取り出す画像取出手段と、前記送信先から送信された前記識別情報を受信する受信手段とを備え、前記受信手段が、前記送信先から前記識別情報を含む前記画像の送信要求を受信したとき、前記画像取出手段が、前記第１の記憶手段から前記識別情報に対応する前記画像の情報を取り出し、前記画像出力手段が、前記取出手段で取り出された前記画像の情報を前記画面に出力するようにした構成を有している。
【００１７】
請求項９に係る本発明の情報入出力装置は、請求項１乃至８のいずれかにおいて、前記座標入力手段に替えて、白板上に記された画像を光学的に読み取り、画像データとして入力する画像読取手段を備え、前記画像出力手段に替えて、前記画像データを画像として記録媒体に出力するか、又はビットマップ形式の画像データとして電子記録媒体に出力する出力手段を備えた構成を有している。
【００１８】
請求項１０に係る本発明の情報入出力装置は、請求項１乃至９のいずれかにおいて、前記情報入出力装置の使用料金を算出して請求する算出請求手段を備え、前記読取手段が、前記記録媒体から前記記録媒体の使用者を識別するための使用者情報を非接触で読み取り、前記算出請求手段が、前記情報入出力装置の使用料金を算出し、前記使用者情報により請求先を決定して請求するようにした構成を有している。
【００１９】
請求項１１に係る本発明の記録媒体は、コンピュータに、画面上の座標位置を指示して入力する第１のステップと、第１のステップで入力された座標により、２次元図形、文字を含む画像を前記画面に出力する第２のステップと、無線通信のための無線通信手段及び情報を記憶する記憶手段を有する記録媒体と非接触で通信し、第２のステップで出力された画像の情報を前記記憶手段に書き込む第３のステップとを実行させるためのプログラムを記録している。
【００２０】
請求項１２に係る本発明のプログラムは、コンピュータに、画面上の座標位置を指示して入力する第１のステップと、第１のステップで入力された座標により、２次元図形、文字を含む画像を前記画面に出力する第２のステップと、無線通信のための無線通信手段及び情報を記憶する記憶手段を有する記録媒体と非接触で通信し、第２のステップで出力された画像の情報を前記記憶手段に書き込む第３のステップとを実行させている。
【００２１】
請求項１３に係る本発明の情報入出力方法は、画面上の座標位置を指示して入力する第１のステップと、第１のステップで入力された座標により、２次元図形、文字を含む画像を前記画面に出力する第２のステップと、無線通信のための無線通信手段及び情報を記憶する記憶手段を有する記録媒体と非接触で通信し、第２のステップで出力された画像の情報を前記記憶手段に書き込む第３のステップとを実行している。
【００２２】
【発明の実施の形態】
以下、本発明の実施の形態について、図面を用いて説明する。
［第１の実施形態］
図１は、本発明の第１の実施形態に係る電子黒板システムを示す。
【００２３】
この電子黒板システムにおいて、電子黒板装置８０（「情報入出力装置」に含まれる）は、タッチセンサなどの位置センサが配置された画面上に、ペンタイプの器具で座標位置を直接入力し、入力された座標位置から位置情報を生成し、画像情報として表示するものである。管理サーバ４００（「送信先」に含まれる）は、電子黒板装置８０から送信された、出力対象の画像情報及び識別情報（例えば、「ＩＤ番号」）などを記憶部４０４（図３に示す）に蓄積し、電子黒板装置８０からの要求に応じて、前記画像情報を電子黒板装置８０に送信するウェブサーバである。ネットワーク５００は、電子黒板装置８０、管理サーバ４００を互いに接続して通信するための通信網である。
【００２４】
なお、電子黒板装置８０、管理サーバ４００間の通信には、ＨＴＴＰ（Ｈｙｐｅｒ  Ｔｅｘｔ  Ｔｒａｎｓｆｅｒ  Ｐｒｏｔｏｃｏｌ）上でＳＯＡＰ（Ｓｉｍｐｌｅ  Ｏｂｊｅｃｔ  Ａｃｃｅｓｓ  Ｐｒｏｔｏｃｏｌ）を用いて通信する。もちろん、ＨＴＴＰを用いず、他のプロトコルを用いてもよいが、インターネット上でＨＴＴＰは、通常使用されるプロトコルなので、セキュリティの厳しいサイトでも使用される場合が多く、都合がよい。また、ＳＯＡＰを用いず、他のプロトコルを用いてもよいが、ＳＯＡＰは、他のサーバ上のウェブサービスを利用するには利用しやすいプロトコルなので好都合である。
【００２５】
図２は、本発明の第１の実施形態に係る電子黒板装置を示す。
【００２６】
図２において、処理部８０１は、例えば、マイクロプロセッサ（以下、「ＭＰＵ」という）等で装置全体を制御し、本実施形態の情報入出力機能を実現するものである。また、処理部８０１には、時計などによる計時機能を有する。主記憶部８０２は、ＲＯＭやＲＡＭ等で構成され、ＭＰＵの制御プログラムを記憶すると共に、この制御プログラムがＭＰＵによって実行されるときにー時的に作成される情報等を保持するものである。記憶部８０５は、ハードディスク・ドライブ、ハードディスクなどからなり、画面入出力部８０４の画面に出力された画像データを前記ハードディスクに記憶するものである。また、記憶部８０５は、画像データを一時保持するための画像バッファメモリ、画像データを蓄積するための保存用メモリを有している。さらに、記憶部８０５は、前記ハードディスクに記録された画像データを読み込み、他の記憶装置へ格納するのに用いられる。
【００２７】
画面入出力部８０４は、指示した座標を感知する板状のセンサ（タッチセンサなど）が配置された画面上に、ペンタイプの器具（スタイラスペンなど）で座標位置を直接指示して入力し、２次元図形や文字の位置を絶対座標で読み取って画像を表示するようにしている。また、画面入出力部８０４は、通信部８０８を介して取得された画像データ、あるいは記憶部８０５に記憶されている画像データにより、画面上に画像を表示するようにしている。さらに、画面入出力部８０４は、例えば使用者により操作表示部８０６のボタン操作がなされるか、あるいは画面上で特定の指示入力動作が行われたとき、画面に出力された画像データ（座標位置データ）の保存を処理部８０１に指示するようにしている。操作表示部８０６は、各種のボタン（スタートボタン、保存ボタン、複写（出力）ボタン、選択ボタン、終了ボタン等）、ＬＥＤ表示器等で構成され、画面入出力部８０４の画面表示及び画面保存に関する情報（操作情報を含む）の入力に用いられるものである。媒体駆動部８０３は、プログラムやデータ等を記録したＣＤ‐ＲＯＭ等の記録媒体８８を装着して読み込み、主記憶部８０２へ格納するのに用いられる。ＣＤ‐ＲＯＭ等の記録媒体８８には、本実施形態の情報入出力機能や処理手順を実現させるためのプログラムやデータ等が記録されている。ＩＣ読取書込部８０７は、ＩＣカード９０と無線通信してＩＣチップ９０２に記憶された情報を読み取り、また、ＩＣチップ９０２に情報を書き込むものである。
【００２８】
ここで、ＩＣカード９０は、公知の非接触読取型データキャリア「ＲＦＩＤ（Ｒａｄｉｏ  Ｆｒｅｑｕｅｎｃｙ  Ｉｄｅｎｔｉｆｉｃａｔｉｏｎ）」であり（特開２０００‐２４２７５４号公報、特開２００１‐１６０１１７号公報参照）、例えば、プラスチック製のカードに、データ記憶用のＩＣチップ９０２と通信用のアンテナ９０１とを内蔵したものである。ＩＣチップ９０２には、画面入出力部８０４で指示入力された座標位置データによる画像の情報（画像情報）及びこの画像情報を識別する識別情報、前記画像情報及び前記識別情報、又は前記識別情報の送信先（管理サーバ４００など）又は保存先（記憶部８０５など）の情報等が記憶されている。通信部８０８は、電子黒板装置８０をインターネットなどのネットワーク５００へ接続するものである。前述した各部８０１〜８０８は、バス８０９によって接続されている。
【００２９】
さらに、前述した記録媒体８８として、ＣＤ‐ＲＯＭの他に、半導体媒体（例えば、ＲＯＭ、ＩＣメモリカード等）、光媒体（例えば、ディジタル・バーサタイル・ディスク（ＤＶＤ）、光磁気ディスク（ＭＯ）、ミニディスク（ＭＤ）、書き込み可能なＣＤ（ＣＤ‐Ｒ）等）、磁気媒体（例えば、磁気テープ、フレキシブルディスク（ＦＤ）等）などを用いてもよい。
【００３０】
また、前述した記録媒体からインストールされたプログラム、換言すれば、前述した記録媒体８８に記憶されたプログラムとしては、本実施形態の情報入出力機能を実現するために用いられる情報入出力プログラムがある。ここでは、情報入出力プログラムを予めＣＤ‐ＲＯＭ等の記録媒体８８に書き込んでおき、この記録媒体８８をＣＤ‐ＲＯＭドライブなどの媒体駆動部８０３に装着して読み込み、前記情報入出力プログラムを主記憶部８０２に格納し、ＭＰＵが実行することによって、本実施形態の情報入出力機能を実現するものである。さらに、情報入出力プログラムが半導体の記録媒体に記録されている場合には、直接、主記憶部８０２ヘロードされ、実行されることとなる。
【００３１】
なお、主記憶部８０２へロードされた情報入出力プログラムを実行することにより、本実施形態の情報入出力機能が実現されるだけでなく、情報入出力プログラムの指示に基づき、オペレーティングシステム等が実際の処理の一部または全部を行い、その処理によって本実施形態の情報入出力機能が実現されるようにしてもよい。
【００３２】
図３は、本発明の第１の実施形態に係る管理サーバを示す。
【００３３】
管理サーバ４００の通信部４０１は、電子黒板装置８０からの画像情報の送信要求を受け取り、記憶部４０４から取り出された、要求対象の画像情報を電子黒板装置８０に送信するものである。記憶部４０４は、電子黒板装置８０から送信された画像情報及び識別情報（例えば「ＩＤ番号」）を関連付けて記憶している。また、記憶部４０４は、記憶部４０４から取り出された画像情報、電子黒板装置８０から送信された画像情報を一時保持するためのバッファメモリとして用いられる。制御部４０５は、管理サーバ４００の各部を制御し、電子黒板装置８０との間で画像情報及び識別情報等を送受信させるものである。
【００３４】
図４は、電子黒板装置８０における情報入出力プログラム（保存時）を示す。この情報入出力プログラムのステップを、電子黒板装置８０の処理部８０１（コンピュータに含まれる）に実行させることにより、本実施形態の情報入出力方法を実現している。
【００３５】
まず、処理部８０１は、画面入出力部８０４に、前記ペンタイプの器具を用いて画面上に指示された座標位置から位置情報を生成し、この位置情報に応じて前記画面上に画像を表示させる（Ｓ１００）。ここで、生成された座標位置情報は、画像情報として記憶部８０５に一時記憶されるようにしている。
【００３６】
次いで、処理部８０１は、操作表示部８０６の「保存ボタン」などの操作で、画面入出力部８０４の画面上に表示された画像情報の保存が指示されたか否かを判断する（Ｓ１０１）。この判断が「ＹＥＳ」の場合はＳ１０２に移り、「ＮＯ」の場合には処理を終了する。前記画像情報は、画面入出力部８０４から指示入力された座標位置情報により表示されたものである。
【００３７】
Ｓ１０２では、操作表示部８０６の「選択ボタン」などの操作で、前記画像データの保存先としてＩＣカード９０が選択及び設定されたか否かを判断する。例えば、前記「保存ボタン」の操作で、画面上に保存先（ここでは、「ＩＣカード」、「電子黒板装置」、「管理サーバ」）が表示され、いずれかの保存先を前記ペンタイプの器具で指示し、前記「選択ボタン」を押下すると、指示された保存先の情報が主記憶部８０２の所定領域に設定されるように構成する。処理部８０１は、前記保存先の情報を参照して「ＩＣカード」であるか否かを判断する。この判断が「ＹＥＳ」の場合はＳ１０３に移り、「ＮＯ」の場合にはＳ１０５に移る。
【００３８】
Ｓ１０３では、保存対象の画像情報を識別するための「識別情報」を生成する。例えば、画像情報の「保存日時」などから新たな「ＩＤ番号」を生成し、前記「識別情報」とする。前記ＩＤ番号の生成方法には様々な手法があるが、ここでは、「保存日時」と、その日時に保存された「画像の通し番号」とを用いて生成している。例えば、「２００３年４月１４日」に、「１０番目」に保存された画像のＩＤ番号は、「２００３０４１４０００１０」となる。
【００３９】
次いで、処理部８０１は、Ｓ１０３で生成された「ＩＤ番号」と保存対象の「画像情報」とを、ＩＣ読取書込部８０７によってＩＣカード９０のＩＣチップ９０２に書き込ませる（Ｓ１０４）。
【００４０】
また、Ｓ１０２の判断が「ＮＯ」の場合に、Ｓ１０５では、前述した操作表示部８０６の「選択ボタン」などの操作で、前記画像情報の保存先として電子黒板装置８０が選択及び設定されたか否かを判断する。この判断が「ＹＥＳ」の場合はＳ１０６に移り、「ＮＯ」の場合にはＳ１０９に移る。
【００４１】
Ｓ１０６では、保存対象の画像情報を識別するための「識別情報」を生成する。例えば、画像情報の「保存日時」、電子黒板装置８０に予め付与された「ＩＤ番号」などから新たな「ＩＤ番号」を生成し、前記「識別情報」とする。
【００４２】
次いで、処理部８０１は、Ｓ１０６で生成された「ＩＤ番号」と保存対象の「画像情報」とを、記憶部８０５に記憶する（Ｓ１０７）。
【００４３】
次いで、処理部８０１は、Ｓ１０６で生成された「ＩＤ番号」を、ＩＣ読取書込部８０７によってＩＣカード９０のＩＣチップ９０２に書き込ませる（Ｓ１０８）。この「ＩＤ番号」により、ＩＣカード９０の使用者は前記「画像情報」の保存先を認識できることとなる。
【００４４】
さらに、Ｓ１０５の判断が「ＮＯ」の場合に、Ｓ１０９では、前述した操作表示部８０６の「選択ボタン」などの操作で、前記画像情報の保存先として管理サーバ４００が選択及び設定されたか否かを判断する。この判断が「ＹＥＳ」の場合はＳ１１０に移り、「ＮＯ」の場合には処理を終了する。
【００４５】
Ｓ１１０では、保存対象の画像情報を識別するための「識別情報」を生成する。例えば、画像情報の「保存日時」、管理サーバ４００に予め付与された「ＩＤ番号」などから新たな「ＩＤ番号」を生成し、前記「識別情報」とする。
【００４６】
次いで、処理部１０８は、Ｓ１１０で生成された「ＩＤ番号」と保存対象の「画像情報」とを、通信部８０８によって管理サーバ４００へ送信する（Ｓ１１１）。
【００４７】
次いで、処理部８０１は、Ｓ１１０で生成された「ＩＤ番号」を、ＩＣ読取書込部８０７によってＩＣカード９０のＩＣチップ９０２に書き込ませる（Ｓ１１２）。
【００４８】
なお、Ｓ１００が「第１のステップ」、「第２のステップ」に含まれる。Ｓ１０３、Ｓ１０４が「第３のステップ」に含まれる。
【００４９】
図５は、管理サーバ４００における情報入出力プログラム（保存時）を示す。この情報入出力プログラムのステップを、管理サーバ４００の処理部４０５（コンピュータに含まれる）に実行させることにより、本実施形態の情報入出力方法を実現している。
【００５０】
まず、制御部４０５は、通信部４０１が電子黒板装置８０からの「保存要求」を受信したか否かを判断する（Ｓ１２１）。この判断が「ＹＥＳ」の場合はＳ１２２に移り、「ＮＯ」の場合には処理を終了する。前記「保存要求」には、保存対象の「画像情報」と、この画像情報を識別するための「ＩＤ番号」とが含まれている。
【００５１】
Ｓ１２２では、Ｓ１２１で取得された「画像情報」のファイルと「ＩＤ番号」とを対応づけて記憶部４０４に記憶する。
【００５２】
次いで、制御部４０５は、通信部４０１から電子黒板装置８０に対して「保存通知」を送信する（Ｓ１２３）。この保存通知には、前記「ＩＤ番号」と自機の「ＩＤ」番号とが含まれている。
【００５３】
図６は、電子黒板装置８０における情報入出力プログラム（出力時）を示す。この情報入出力プログラムのステップを、電子黒板装置８０の処理部８０１（コンピュータに含まれる）に実行させることにより、本実施形態の情報入出力方法を実現している。
【００５４】
まず、処理部８０１は、操作表示部８０６の「再生ボタン」などの操作で、再生対象の画像情報を画面入出力部８０４の画面上に表示することが指示されたか否かを判断する（Ｓ２０１）。この判断が「ＹＥＳ」の場合はＳ２０２に移り、「ＮＯ」の場合には処理を終了する。
【００５５】
Ｓ２０２では、ＩＣ読取書込部８０７がＩＣカード９０のＩＣチップ９０２に記憶された情報を読み取る。ＩＣチップ９０２には、前述したように「画像情報」を識別するための「ＩＤ番号」が記憶されている。
【００５６】
次いで、処理部８０１は、Ｓ２０２で取得された「ＩＤ番号」を記憶部８０５に一旦保持した後、画面入出力部８０４の画面に出力する（Ｓ２０３）。
【００５７】
次いで、処理部８０１は、操作表示部８０６の「選択ボタン」などの操作により、Ｓ２０３で画面入出力部８０４の画面上に出力された「ＩＤ番号」のいずれかが選択されたか否かを判断する（Ｓ２０４）。例えば、前記「再生ボタン」の操作で、ＩＣチップ９０２に記憶された「ＩＤ番号」が読み取られて画面上に表示され、使用者が、いずれかの「ＩＤ番号」を前記ペンタイプの器具で指示し、前記「選択ボタン」を押下すると、指示された「ＩＤ番号」が主記憶部８０２の所定領域に設定されるように構成する。処理部８０１は、前記所定領域の情報を参照して再生対象の画像情報が選択されたか否かを判断する。この判断が「ＹＥＳ」の場合はＳ２０５に移り、「ＮＯ」の場合には処理を終了する。
【００５８】
Ｓ２０５では、Ｓ２０４で選択された再生対象がＩＣカード９０のＩＣチップ９０２に記憶された画像情報であるか否かを判断する。ここでは、Ｓ２０４で指示された「ＩＤ番号」が、画像情報の「保存日時」からなる場合に、ＩＣカード９０内の画像情報であると判断する。この判断が「ＹＥＳ」の場合はＳ２０６に移り、「ＮＯ」の場合にはＳ２０８に移る。
【００５９】
Ｓ２０６では、ＩＣ読取書込部８０７が、Ｓ２０４で選択された再生対象の「ＩＤ番号」に対応する画像情報をＩＣカード９０のＩＣチップ９０２から読み取る。この画像情報は、画面入出力部８０４へ送られる。
【００６０】
次いで、処理部８０１は、Ｓ２０６で取得された画像データを画面入出力部８０４の画面に出力させる（Ｓ２０７）。
【００６１】
また、Ｓ２０５の判断が「ＮＯ」の場合に、Ｓ２０８では、Ｓ２０４で選択された再生対象が記憶部８０５に記憶された画像情報であるか否かを判断する。ここでは、Ｓ２０４で指示された「ＩＤ番号」が、画像情報の「保存日時」、電子黒板装置８０の「ＩＤ番号」からなる場合に、電子黒板装置８０内の画像情報であると判断する。この判断が「ＹＥＳ」の場合はＳ２０９に移り、「ＮＯ」の場合にはＳ２１３に移る。
【００６２】
Ｓ２０９では、Ｓ２０４で指示された「ＩＤ番号」と一致するものを記憶部８０５から検索する。
【００６３】
次いで、Ｓ２０９の検索の結果、Ｓ２０４で指示された「ＩＤ番号」と一致するものがあったか否かを判断する（Ｓ２１０）。この判断が「ＹＥＳ」の場合はＳ２１１に移り、「ＮＯ」の場合にはＳ２１２に移る。
【００６４】
Ｓ２１１では、Ｓ２１０で一致した「ＩＤ番号」に対応する画像情報を記憶部８０５から取り出し、画面入出力部８０４に送って画面に出力させる。
【００６５】
Ｓ２１２では、画面入出力部８０４の画面に「再生対象の「ＩＤ番号」に対応する画像が登録されていない旨」の「エラーメッセージ」を出力する。
【００６６】
また、Ｓ２０８の判断が「ＮＯ」の場合に、Ｓ２１３では、Ｓ２０４で選択された再生対象が管理サーバ４００に記憶された画像情報であるか否かを判断する。ここでは、Ｓ２０４で指示された「ＩＤ番号」が、画像情報の「保存日時」、管理サーバ４００の「ＩＤ番号」からなる場合に、管理サーバ４００内の画像情報であると判断する。この判断が「ＹＥＳ」の場合はＳ２１４に移り、「ＮＯ」の場合には処理を終了する。
【００６７】
Ｓ２１４では、処理部８０１が、Ｓ２０４で指示された「ＩＤ番号」を含む「送信要求」を生成し、通信部８０８に、前記送信要求を管理サーバ４００に対して送信させる。ここでは、管理サーバ４００のアドレス（「送信先」に含まれる）を予め記憶部８０５に登録するようにしている。
【００６８】
次いで、処理部８０１は、通信部８０８が管理サーバ４００からの画像情報を受信したか否かを判断する（Ｓ２１５）。この判断が「ＹＥＳ」の場合はＳ２１６に移り、「ＮＯ」の場合には処理を終了する。管理サーバ４００からの画像情報は、記憶部８０５に一時記憶される。
【００６９】
Ｓ２１６では、処理部８０１が、Ｓ２１５で管理サーバ４００から送信され、記憶部８０５に一時記憶された画像情報を画面入出力部８０４に渡す。画面入出力部８０４は、前記画像情報を画面に出力する。
【００７０】
図７は、管理サーバ４００における情報入出力プログラム（出力時）を示す。この情報入出力プログラムのステップを、管理サーバ４００の処理部４０５（コンピュータに含まれる）に実行させることにより、本実施形態の情報入出力方法を実現している。
【００７１】
まず、制御部４０５は、通信部４０１が電子黒板装置８０からの「送信要求」を受信したか否かを判断する（Ｓ２２１）。この判断が「ＹＥＳ」の場合はＳ２２２に移り、「ＮＯ」の場合には処理を終了する。前記「送信要求」には、再生対象の画像情報を識別するための「ＩＤ番号」が含まれている。
【００７２】
Ｓ２２２では、Ｓ２２１で取得された「ＩＤ番号」を記憶部４０４で検索する。
【００７３】
次いで、制御部４０５は、Ｓ２２２の検索で前記「ＩＤ番号」と一致するものが検出されたか否かを判断する（Ｓ２２３）。この判断が「ＹＥＳ」の場合はＳ２２４に移り、「ＮＯ」の場合には処理を終了する。
【００７４】
Ｓ２２４では、制御部４０５が、前記「ＩＤ番号」に対応する画像ファイルを記憶部４０４から取り出し、通信部４０１によって前記ＩＤ番号及び当該画像ファイルを電子黒板装置８０へ送信させる。
【００７５】
以上のように、本発明の第１の実施形態に係る電子黒板装置８０（「情報入出力装置」に含まれる）は、画面上の座標位置を指示して入力する画面入出力部８０４の入力部（「座標入力手段」に含まれる）と、前記入力部で入力された座標により、２次元図形、文字を含む画像を前記画面に出力する画面入出力部８０４の出力部（「画像出力手段」に含まれる）と、無線通信のための通信アンテナ９０１（「無線通信手段」に含まれる）及び情報を記憶するＩＣチップ９０１（「記憶手段」に含まれる）を有するＩＣカード９０（「記録媒体」に含まれる）に対し、前記画像の情報（「画像情報」に相当する）を非接触で書き込むＩＣ読取書込部８０７（「書込手段」に含まれる）とを備えているので、電子黒板装置８０を用いて会議を行うとき、議事録として画像情報をＩＣカード９０に記憶して管理することができる。
【００７６】
また、上述した実施形態では、ＩＣカード９０に書き込まれた前記画像の情報を前記画面に出力するように指示する操作表示部８０６（「出力指示手段」に含まれる）と、操作表示部８０６の指示により、ＩＣカード９０から前記画像の情報を非接触で読み取るＩＣ読取書込部８０７（「読取手段」に含まれる）とを備え、画面入出力部８０４が、ＩＣ読取書込部８０７で読み取られた前記画像の情報を前記画面に出力するようにしているので、電子黒板装置８０を用いて会議を行うとき、議事録の作成を補助することできる。
【００７７】
さらに、上述した実施形態では、前記画像の情報を記憶する記憶部８０５（「第１の記憶手段」に含まれる）と、ＩＣカード９０に対し、前記画像及び記憶部８０５を識別するための「ＩＤ番号（「識別情報」に含まれる）」を非接触で書き込むＩＣ読取書込部８０７（「書込手段」に含まれる）とを備えているので、電子黒板装置８０を用いて会議を行うとき、議事録として画像情報をＩＣカード９０、記憶部８０５に記憶して管理することができる。
【００７８】
また、上述した実施形態では、ＩＣカード９０から前記ＩＤ番号を非接触で読み取るＩＣ読取書込部８０７（「読取手段」に含まれる）と、ＩＣ読取書込部８０７で読み取られた前記ＩＤ番号に対応する、前記画像の情報を前記画面に出力するように指示する操作表示部８０６（「出力指示手段」に含まれる）と、操作表示部８０６の指示により、記憶部８０５から前記ＩＤ番号に対応する前記画像の情報を取り出す処理部８０１（「画像取出手段」に含まれる）とを備え、画面入出力部８０４が、記憶部８０５から取り出された前記画像の情報を前記画面に出力するようにしているので、電子黒板装置８０を用いて会議を行うとき、議事録の作成を補助することできる。
【００７９】
なお、上述した実施形態では画面入出力部８０４の画面に出力された画像情報を保存するとき、使用者による操作表示部８０６の操作で保存先を設定した場合について説明したが、本発明はこのほかに、保存対象の「画像情報の量」と、ＩＣチップ９０２、記憶部８０５、記憶部４０４の「メモリ残量」とに応じて、処理部８０１が保存先を設定及び更新するようにしても同様の効果が得られるものである。この場合に、保存先の「優先順位」を予め設定しておいてもよい。
【００８０】
また、上述した実施形態では使用者による操作表示部８０６の操作で、管理サーバ４００（「送信先」に含まれる）に保存対象の画像情報を送信する場合について説明したが、本発明はこのほかに、ＩＣカード９０のＩＣチップ９０２に予め「送信先」の情報を記憶しておき、ＩＣチップ９０２に前記送信先の情報が記憶されている場合、ＩＣ読取書込部８０７が前記送信先の情報を読み取り、処理部８０１が通信部８０８に、保存対象の画像情報を前記送信先に送信させるようにしても同様の効果が得られるものである。
【００８１】
例えば、電子黒板装置８０に、ＩＣカード９０から、前記画像情報を送信するときの送信先の情報を読み取る読取部（ＩＣ読取書込部８０７に相当する）と、ＩＣカード９０に対し、前記画像情報及び前記送信先を識別するための「ＩＤ番号（「識別情報」に含まれる）」を非接触で書き込む書込部（ＩＣ読取書込部８０７に相当する）と、ＩＣ読取書込部８０７で取得された前記送信先に対し、前記画像情報及び前記ＩＤ番号を送信する送信部（通信部８０８に相当する）とを備える。この構成は、請求項５に係る本発明の一実施形態を示す。
【００８２】
さらに、前記送信先から送信された前記画像情報を受信する受信部（通信部８０８に相当する）を備え、ＩＣ読取書込部８０７が、ＩＣカード９０から前記ＩＤ番号を非接触で読み取り、通信部８０８が、前記送信先に対して、前記ＩＤ番号に対応する前記画像情報の送信要求を送信し、画面入出力部８０４が、通信部８０８で受信された前記画像情報を前記画面に出力するように構成する。この構成は、請求項６に係る本発明の一実施形態を示す。
【００８３】
また、本発明は、ＩＣカード９０のＩＣチップ９０２に予め「送信先」の情報を記憶しておき、ＩＣチップ９０２に前記送信先の情報が記憶されている場合、ＩＣ読取書込部８０７が前記送信先の情報を読み取り、処理部８０１が通信部８０８に、保存対象の画像情報の「保存先の情報」を前記送信先に送信させるようにしても、上述した実施形態と同様の効果が得られるものである。
【００８４】
例えば、電子黒板装置８０に、前記画像情報を記憶する記憶部８０５と、ＩＣカード９０から、前記画像情報及び記憶部８０５を識別するための「ＩＤ番号（「識別情報」に含まれる）」を送信するときの送信先の情報を読み取る読取部（ＩＣ読取書込部８０７に相当する）と、ＩＣ読取書込部８０７で取得された前記送信先に対し、前記ＩＤ番号を送信する送信部（通信部８０８に相当する）とを備え、前記画像情報を記憶部８０５に記憶したとき、前記送信先に対して前記ＩＤ番号を送信するように構成する。この構成は、請求項７に係る本発明の一実施形態を示す。
【００８５】
さらに、記憶部８０５から前記ＩＤ番号に対応する前記画像情報を取り出す画像取出部（処理部８０１に相当する）と、前記送信先から送信された前記ＩＤ番号を受信する受信部（通信部８０８に相当する）とを備え、通信部８０８が、前記送信先から前記ＩＤ番号を含む送信要求を受信したとき、処理部８０１が、記憶部８０５から前記ＩＤ番号に対応する前記画像情報を取り出し、画面入出力部８０４が、処理部８０１で取り出された前記画像情報を前記画面に出力するように構成する。この構成は、請求項８に係る本発明の一実施形態を示す。なお、管理サーバ４００が前記送信先に相当し、電子黒板装置８０が前記保存先に相当する。この構成によれば、例えば、管理サーバ４００から電子黒板装置８０に対して前記画像情報の「複写（出力）」を指示することもできる。
【００８６】
また、上述した実施形態では、画面上で指示された座標位置により画像を表示し、画面上に複写（出力）する電子黒板装置８０を用いた場合について説明したが、本発明はこのほかに、白板上に消去可能なインクで記された画像の画像データを光学的に読み取り、前記画像データを記録紙などに複写する電子黒板（いわゆる「ホワイトボード」）を用いても同様の効果が得られるものである。
【００８７】
例えば、電子黒板装置８０に、画面入出力部８０４（「座標入力手段」に含まれる）に替えて、白板上に記された画像を光学的に読み取り、画像データとして入力するスキャナ等の画像読取部（「画像読取手段」に含まれる）を備え、また、画面入出力部８０４（「画像出力手段」に含まれる）に替えて、前記画像データを画像として記録媒体に出力するプリンタ部（「出力手段」に含まれる）か、又はビットマップ形式の画像データとしてＣＤ‐ＲＯＭ等の電子記録媒体に出力する媒体駆動部（「出力手段」に含まれる）を備える。この構成は、請求項９に係る本発明の一実施形態を示す。
【００８８】
また、上述した実施形態では電子黒板装置８０を用いた場合について説明したが、本発明はこのほかに、タブレット（タブレットディジタイザ）を用いても同様の効果が得られるものである。
【００８９】
さらに、上述した実施形態ではアンテナ９０１及びＩＣチップ９０２を有するＩＣカード９０を用いた場合について説明したが、本発明はこのほかに、ＩＣチップを内蔵した携帯電話機などの「携帯通信端末」を用いても同様の効果が得られるものである。
【００９０】
［第２の実施形態］
本発明の第２の実施形態に係る電子黒板システムは、第１の実施形態と概ね同様の構成を有しているために、図１〜図３を用いると共に同一構成には同一符号を付与して説明を省略する。また、画像情報の「保存」、「複写（出力）」の手順については、第１の実施形態と概ね同様であるために、説明を省略する。
【００９１】
図８（ａ）は、本発明の第２の実施形態に係る情報入出力プログラム（課金対象指定時）を示す。この情報入出力プログラムのステップを、電子黒板装置８０の処理部８０１（コンピュータに含まれる）に実行させることにより、本実施形態の情報入出力方法を実現している。
【００９２】
まず、処理部８０１は、ＩＣ読取書込部８０７にＩＣカード９０のＩＣチップ９０２に記憶された「使用者情報」を読み取らせる（Ｓ３０１）。この使用者情報は、例えばＩＣカード９０に予め付与された固有の「ＩＤ番号」である。また、複数の出席者が電子黒板装置８０を用いて会議を開催するときは、複数のＩＣカード９０の「ＩＤ番号」を読み取ることとなる。ここで読み取られた「ＩＤ番号」は主記憶部８０２に送られる。
【００９３】
次いで、処理部８０１は、Ｓ３０１で取得された「ＩＤ番号」と対応する「使用者情報」を記憶部８０５から取り出し、画面入出力部８０４の画面に前記使用者情報を出力させる（Ｓ３０２）。ここでは、記憶部８０５に、前記ＩＤ番号と前記使用者情報とを１対１に対応づけて記憶するようにしている。例えば、前記使用者情報として「使用者名」を用い、図９（ａ）に示すように画面上に「使用者名」及び「チェック欄」を表示し、使用者のいずれかを課金対象者として指定するようにしている。ここで、図９（ａ）、図９（ｂ）に示す画面を表示するための画像フォーマットは、記憶部８０５に予め登録するようにしている。
【００９４】
次いで、処理部８０１は、Ｓ３０２で課金対象者が指定されたか否かを判断する（Ｓ３０３）。ここでは、図９（ｂ）に示すように、使用者が前記チェック欄のいずれかを前記ペンタイプの器具でマーキングして指示することにより、処理部８０１は、課金対象者が指定されたと判断する。Ｓ３０３の判断が「ＹＥＳ」の場合はＳ３０４に移り、「ＮＯ」の場合には処理を終了する。
【００９５】
Ｓ３０４では、Ｓ３０３で指定された「使用者名」が主記憶部８０２の所定領域に記憶される。
【００９６】
次いで、処理部８０１は、画面入出力部８０４及び操作表示部８０６からの入力を受け付ける（Ｓ３０５）。
【００９７】
図８（ｂ）は、本発明の第２の実施形態に係る情報入出力プログラム（課金時）を示す。この情報入出力プログラムのステップを、電子黒板装置８０の処理部８０１（コンピュータに含まれる）に実行させることにより、本実施形態の情報入出力方法を実現している。
【００９８】
まず、処理部８０１は、画面入出力部８０４からの指示入力が終了したか否かを判断する（Ｓ３１１）。ここでは、操作表示部８０６の「終了ボタン」が押下されたか否かにより判断する。この判断が「ＹＥＳ」の場合はＳ３１２に移り、「ＮＯ」の場合には処理を終了する。
【００９９】
Ｓ３１２では、処理部８０１が、電子黒板装置８０の設置されている会議室の使用料金を算出する。ここでは、処理部８０１の計時機能により、Ｓ３０５で入力の受付を開始してから、Ｓ３１１で操作表示部８０６の「終了ボタン」が押下されるまでの「使用時間」を算出し、この使用時間に予め決められた「時間単価」を乗じたものを「使用料金」とするようにしている。
【０１００】
次いで、処理部８０１は、Ｓ３０４で取得された課金対象の「使用者名」により、Ｓ３１２で算出された「使用料金」を請求する（Ｓ３１３）。ここでは、通信部８０８から所定の経理端末（図示せず）に対し、前記「使用者名」、前記「使用料金」の金額を含む請求情報を送信するようにしている。
【０１０１】
以上のように、本発明の第２の実施形態に係る電子黒板装置８０（「情報入出力装置」に含まれる）は、電子黒板装置８０の使用料金を算出して請求する処理部８０１（「算出請求手段」に含まれる）を備え、ＩＣ読取書込部８０７が、ＩＣカード９０からＩＣカード９０の使用者を識別するための「使用者名（「使用者情報」に含まれる）」を非接触で読み取り、処理部８０１が、電子黒板装置８０の使用料金を算出し、画面上で指定された使用者名（複数の使用者名のいずれか）により請求先を決定して請求するようにしているので、使用料金の算出及び請求を自動的に行うことができ、電子黒板装置８０を用いた会議の運営を効率化できる。
【０１０２】
なお、上述した実施形態ではＩＣカード９０を示す「ＩＤ番号」と「使用者名」とを対応づけて記録部８０５に記憶し、処理部８０１が管理するようにした場合について説明したが、本発明はこのほかに、ＩＣカード９０のＩＣチップ９０２に「使用者名」を記憶するようにしても同様の効果が得られるものである。また、ＩＣカードを所持する出席者（課金対象）が複数存在する場合など、ＩＣカード９０の読み取りを効率的に行うために、ＩＣ読取書込部８０７が読取書込可能な範囲に所定のＩＣカードホルダを設け、全てのＩＣカードを一括保持するか、あるいは、電子黒板装置８０が設置された会議室の席のそれぞれにＩＣ読取書込部を設けるようにしてもよい。
【０１０３】
【発明の効果】
以上説明したように、本発明は画面上の座標位置を指示して入力し、入力された座標により、２次元図形、文字を含む画像を前記画面に出力する手段（「画面入出力部」を含む）と、無線通信手段及び記憶手段を有する記録媒体（「ＩＣカード」を含む）に対し、前記画像の情報（画像情報）を非接触で書き込む書込手段（「ＩＣ読取書込部８０７」を含む）とを備え、前記画像の情報を前記記録媒体に保存することにより、通信部及び記憶部を備えた記録媒体を利用して会議議事録などの画像情報を保存、管理するという優れた効果を有する情報入出力装置を提供することができるものである。
【図面の簡単な説明】
【図１】本発明の第１の実施形態に係る電子黒板システムの構成を示すブロック図である。
【図２】本発明の第１の実施形態に係る電子黒板装置の構成を示すブロック図である。
【図３】本発明の第１の実施形態に係る管理サーバの構成を示すブロック図である。
【図４】本発明の第１の実施形態に係る電子黒板装置の処理手順（保存時）を示すフローチャートである。
【図５】本発明の第１の実施形態に係る管理サーバの処理手順（保存時）を示すフローチャートである。
【図６】本発明の第１の実施形態に係る電子黒板装置の処理手順（出力時）を示すフローチャートである。
【図７】本発明の第１の実施形態に係る管理サーバの処理手順（出力時）を示すフローチャートである。
【図８】本発明の第２の実施形態に係る電子黒板装置の処理手順（課金時）を示すフローチャートである。
【図９】本発明の第２の実施形態に係る電子黒板装置の表示画面を示す図である。
【符号の説明】
８０  電子黒板装置
８８  記録媒体
９０  ＩＣカード
８０１  処理部
８０２  主記憶部
８０３  媒体駆動部
８０４  画面入出力部
８０５  記憶部
８０６  操作表示部
８０７  ＩＣ読取書込部
８０８  通信部
８０９  バス
９０１  アンテナ
９０２  ＩＣチップ
【図１】
2004320357.tif 000003
【図２】
2004320357.tif 000004
【図３】
2004320357.tif 000005
【図４】
2004320357.tif 000006
【図５】
2004320357.tif 000007
【図６】
2004320357.tif 000008
【図７】
2004320357.tif 000009
【図８】
2004320357.tif 000010
【図９】
2004320357.tif 000011